(57)【要約】【目的】  従来から使用されている車両搭載のナビゲーション本体のモニター部分は、ナビゲーションシステムを利用した地図のみの映像表示がなされており、高額商品の割には多機能化が生かされてなく、該機器の多機能化を図ることによって該機器を安く販売できるようにしたものである。【構成】  従来の車両搭載のナビゲーションの地図のみを映像表示する映像表示モニターとは別に、地図を表示するのと同時に広告を表示するもので、インターネット広告管理センターより広告情報を配信させ該モニターに広告を表示させ宣伝をし、その広告料の一部を車両所有者に還元して、商品を低額にして容易に該高額機器が購入できるようにしたものである。【選択図】図２
2010156666.tif 000002
【特許請求の範囲】
【請求項１】
現在使用されている車両搭載ナビゲーション機器は、ＧＰＳ利用による地図の映像表示機器であるが、それとは別に携帯電話機能機器を該車両に搭載し、無線インターネット広告管理センターより広告情報を配信して、該車両ナビゲーション機器のモニター部分に地図表示及び広告を強制的に同時表示することを特徴とする車両搭載ナビゲーション機器。
【請求項２】
上記請求項１に関して、車両のエンジンをスイッチオンしたと同時に該ナビゲーションが同時にスイッチオンとなり、広告映像が該モニターに地図表示をしないときは全面表示となり、又、地図が表示されるときは該モニター外周部に部分表示されることを特徴とする車両搭載ナビゲーション機器。
【請求項３】
上記請求項１及び２のモニター部分に関して、広告表示がなされるが、より詳細な又、気に入りの広告が表示されるように該地図表示モニターの外周部にジャンル別表示欄を装設し、該モニターにタッチ式を採用して、指先等でタッチすることで順次広告が変更されて、該モニター外周部分に広告が表示されることを特徴とする車両搭載ナビゲーション機器。
【請求項４】
上記請求項１、２及び３の広告モニターに関して、気に入った商品の広告が表示されその商品を購入したい場合、商品購入欄を指等でタッチすると、商品申し込みがなされ、商品を購入することができることを特徴とする車両搭載ナビゲーション機器。
【請求項５】
上記請求項１に関して、広告モニターを表示するか否かを選択できる項目を装設する。広告モニターの表示を選択した場合、該モニターに広告を表示した時間、広告欄をタッチした回数等をポイント制にして、そのポイント履歴をインターネット無線を利用してポイント履歴を広告管理センターに送信することを特徴とする車両搭載ナビゲーション機器。
【発明の詳細な説明】
【技術分野】
【０００１】  従来使用されている車両搭載のナビゲーション機器は、ＧＰＳ利用による地図表示機能機器を利用して地図をモニターに表示しているが、本発明は、従来の車両搭載ナビゲーション機器に携帯電話機能機器等を付帯して取付、地図表示の他に広告を該モニターに同時表示をして、広告宣伝することができるものとしたものである。【０００２】  従来この種における車両搭載ナビゲーション機器は、地図のみを表示しているものが多く、地図のほかには車両の位置付近の店舗等を表示するのみとどまっており、機器を有効利用していなく非常に高額な機器で容易に購入できない等問題点がある。
【発明の開示】
【発明が解決しようとする課題】
【０００３】  本発明は、現在のナビゲーションが単なる地図のみを表示して機器の能力を充分利用できていなく、又、非常に高額で容易に購入できない等の上記の問題点を解決するもので、地図を表示するモニター部分に広告表示と音声を同時に表示して広告効果を高め、広告収入の一部を車両所有者に還元して、誰もが購入しやすくし、又、広告の商品を直ちに購入することができ利便性を高めて問題を解決するものである。
【課題を解決するための手段】
【０００４】  上記に説明したバナー広告付車両搭載ナビゲーション機器により、広告を表示するための手段は、従来のナビゲーション機器に携帯電話機能機器、又は、インターネット用受信機器及びマルチ映像表示機器を併設し、地図と広告が同一モニターに同時に表示できることとした他に、ジャンル別変更表示モニターを装設して広告表示モニターにより詳細に広告が表示されるようにし、更に商品を購入できる欄を併設する。
その他に、広告を映像表示した時間やジャンル別広告欄をタッチした回数等をポイントにして、ポイント履歴をインターネット広告管理センターに送信するようにして問題を解決したものである。
【発明の効果】
【０００５】  本発明は、従来の車載ナビゲーションのモニターに広告を表示させることにより、強制的に広告を表示する機能を装着した機器を購入する場合、該機器から得られる見込み広告料を差し引いた相当に低額として販売し、誰ものが購入できるように配慮し、又、上記サービスの他上記強制的機能付きナビゲーション及び広告表示を自由に選択できる装置の該ナビゲーションを購入した者は、広告を映像表示する時間帯等に応じてポイント履歴に換算した結果、一定期間金銭等を還元することで、実質該ナビゲーション機器を低額で買う効果が生じる他、該広告の商品を簡単に買うことができる利便性を高めた効果がある。
【発明を実施するための最良の形態】
【０００６】  本発明の最良の用法を説明すると、従来のナビゲーション機器に携帯電話機能機器、又は、インターネット用受信機器及びマルチ映像表示機器を併設し、地図と広告が同一モニターに同時に表示でき、その広告から得られる見込み収益の一部を販売時に差し引きして、相当に安く販売する。
又、広告表示モニターにより詳細に広告が表示されるようにジャンル別変更表示モニターを装設し、商品を購入できる欄を併設し、その他に、広告を映像表示した時間やジャンル別広告欄をタッチした回数等をポイントにして、ポイント履歴をインターネット広告管理センターに送信して、広告料の一部をポイント換算して金銭や商品が車両所有者に還元され、実質該機器を安く購入できるようにしたものである。
【実施例】
【０００７】  本発明の実施例を図面について以下の通り説明する。
図１に関し、本発明のナビゲーション（２）を車両（１）に搭載し、地図表示は従来の通り人工衛星（５）を通じて地図表示をし、広告表示はインターネット広告管理センター（４）より情報配信をし、他にポイント履歴を管理する。
図２に関し、車両搭載ナビゲーション本体外枠（３）に内側には、モニター全体（６）を、広告表示する際にモニターがマルチ映像表示機器（１０）により分割表示され、地図表示モニター（７−１）、バナー広告表示モニター（７−２）、広告ジャンル別変更表示モニター（７−３）を装設し、広告を該モニターに表示して広告宣伝をする。
図３に関し、車両搭載ナビゲーション本体外枠（３）に内蔵される機器は、人工衛星用送受信装置（８）、携帯電話（９）、マルチ映像表示機器（１０）、インターネット用受信機器（１１）、ポイント履歴送信装置（１２）を装着内蔵し、それらの機器を使用してナビゲーション表示モニター（６）、地図専用表示モニター（７−１）、バナー部分広告表示モニター（７−２）、広告ジャンル別変更表示モニター（７−３）を装設することで、より詳細な広告が表示され商品を購入することができるものである。
【図面の簡単な説明】
【０００８】
【図１】  本発明のナビゲーション機器等装置装着及び配信全体図
【図２】  本発明のナビゲーション機器のモニター部分の正面図
【図３】  本発明の本発明のナビゲーション機器等の内部装置装着図
【符号の説明】
【０００９】１      車両
２      車両搭載ナビゲーション本体
３      車両搭載ナビゲーション本体外枠
４      インターネット広告管理センター
５      人工衛星
６      ナビゲーション表示モニター
７−１  地図専用表示モニター
７−２  バナー部分広告表示モニター
７−３  広告ジャンル別変更表示モニター
８      人工衛星用送受信装置
９      携帯電話
１０    マルチ映像表示機器
１１    インターネット用受信機器
１２    ポイント履歴送信装置
【図１】
2010156666.tif 000003
【図２】
2010156666.tif 000004
【図３】
2010156666.tif 000005